(57)【要約】      （修正有）【課題】就寝中の姿勢を楽な状態に保つことができるマットレスを提供すること。【解決手段】頭部１２２を支持する頭支持部１６、胴部１０６を支持する胴支持部１０、腰部１０９を支持する腰支持部１２及び足部１１２を支持する足支持部１４を有するマットレス本体４を備えたマットレス。マットレス本体４は柔軟性及び高反発性を有する材料から形成され、少なくとも胴支持部１０、腰支持部１２及び足支持部１４の上面は、足支持部１４から胴支持部１０に向けて上方に傾斜して直線状に延びている。就寝者Ｐが寝た状態においては、マットレス本体４が弾性変形して就寝者Ｐを包み込むように支持し、同支持部１０の胴支持域２２の底部２４と、腰支持部１２の腰支持域２６の底部２８と、足支持部１４の足支持域３０の底部３２とは、上下方向に実質上同一レベルとなって就寝者Ｐの身体を水平状態に支持する身体支持面３４を規定する。【選択図】図３
2020171751.tif 000002
【特許請求の範囲】
【請求項１】
頭部を支持する頭支持部、胴部を支持する胴支持部、腰部を支持する腰支持部及び足部を支持する足支持部を有するマットレス本体を備えたマットレスにおいて、
前記マットレス本体は柔軟性及び高反発性を有する材料から形成され、前記マットレス本体の少なくとも前記胴支持部、前記腰支持部及び前記足支持部の上面は、前記足支持部から前記胴支持部に向けて上方に傾斜して直線状に延び、それらの前記上面の基準水平面に対する傾斜角度（α）が２〜７度（２度≦α≦７度）であり、前記マットレス本体に就寝者が寝た状態において、前記マットレス本体が弾性変形して就寝者を包み込むように支持することを特徴とするマットレス。
【請求項２】
前記マットレス本体の硬さは、２５％圧縮するのに必要な力で表すと４０〜８０Ｎであることを特徴とする請求項１に記載のマットレス。
【請求項３】
前記マットレス本体の前記胴支持部、前記腰支持部及び前記足支持部の前記上面は、前記足支持部から前記胴支持部に向けて上方に傾斜して直線状に延び、前記頭支持部の前記上面は、前記胴支持部の上端から水平に直線状に延びていることを特徴とする請求項１又は２に記載のマットレス。
【請求項４】
前記マットレス本体の前記胴支持部の上端の厚さ（Ｔ１）は、１２〜２５ｃｍ（１２ｃｍ≦Ｔ１≦２５ｃｍ）であり、前記足支持部の下端の厚さ（Ｔ２）は、３〜１５ｃｍ（３ｃｍ≦Ｔ２≦１５ｃｍ）であることを特徴とする請求項１〜３のいずれかに記載のマットレス。
【発明の詳細な説明】
【技術分野】
【０００１】
本発明は、就寝者の身体を楽な状態に支持するために用いるマットレスに関する。
【背景技術】
【０００２】
就寝時に身体を楽な状態に支持するためにマットレスが広く用いられている。このマットレスは、外形が矩形状のマットレス本体から構成され、このマットレス本体の厚さは、その全域において実質上同一に形成されている。
【０００３】
このようなマットレス本体に仰向けに寝ると、このマットレス本体１０２は、図４に示すように弾性変形して就寝者Ｐの身体１０４を支持する。即ち、仰向けに寝た状態では、身体１０４における胴部１０６の背中１０８、腰部１０９の臀部１１０及び足部１１２のふくらはぎ１１４が背中１０８側に突出した状態となり、それ故に、マットレス本体１０２における、背中１０８を支持する胴支持域１１６、臀部１１０を支持する腰支持域１１８及びふくらはぎ１１４を支持する足支持域１２０が部分的に大きく弾性変形して身体１０４を支持する。
【０００４】
このような支持状態では、図４に矢印で示すように、身体１０４の体重の大部分は、胴支持域１１６、腰支持域１１８及び足支持域１２０の一部の領域にて支持され（尚、頭部１２２にあっては、頭支持域１２４により支持される）、身体１０４（具体的には、身体の骨格）は、図４に太い実線１２６で示すように折れ曲がった姿勢となる。このような姿勢は、身体１０４を無理な状態に保って負担をかけ、就寝中このような姿勢が続くと起きたときに疲れが残るなどの問題がある。
【０００５】
また、他の形態のマットレスとして、マットレス本体の上面を一端側（頭支持部側）から他端側（足支持部側）に向けて下方に直線状に傾斜させたものも提案されている（例えば、特許文献１参照）。このマットレス本体では、その上面は１５〜３０度の角度で傾斜して延びており、このような角度に設定することによって、就寝中、身体の上半身を１５〜３０度に起こした状態（所謂、セミ・ファーラー位）に保つことができ、これによって、睡眠中での胃から食道への逆流、更には気管内への逆流を防止することができる。
【先行技術文献】
【特許文献】
【０００６】
【特許文献１】実用新案登録第３１９８９３７号公報
【発明の概要】
【発明が解決しようとする課題】
【０００７】
しかしながら、上述したマットレスにおいては、就寝中に上半身を１５〜３０度傾斜させた姿勢に保って胃から食道への逆流などを防止することができるが、このような姿勢は充分に楽な姿勢でなく、それ故に、起きたときに疲れが残るなどの問題がある。
【０００８】
本発明の目的は、就寝中の姿勢を楽な状態に保つことができるマットレスを提供することである。
【課題を解決するための手段】
【０００９】
本発明の請求項１に記載のマットレスは、頭部を支持する頭支持部、胴部を支持する胴支持部、腰部を支持する腰支持部及び足部を支持する足支持部を有するマットレス本体を備えたマットレスにおいて、
前記マットレス本体は柔軟性及び高反発性を有する材料から形成され、前記マットレス本体の少なくとも前記胴支持部、前記腰支持部及び前記足支持部の上面は、前記足支持部から前記胴支持部に向けて上方に傾斜して直線状に延び、それらの前記上面の基準水平面に対する傾斜角度（α）が２〜７度（２度≦α≦７度）であり、前記マットレス本体に就寝者が寝た状態において、前記マットレス本体が弾性変形して就寝者を包み込むように支持することを特徴とする。
【００１０】
また、本発明の請求項２に記載のマットレスでは、前記マットレス本体の硬さは、２５％圧縮するのに必要な力で表すと４０〜８０Ｎであることを特徴とする。
また、本発明の請求項３に記載のマットレスでは、前記マットレス本体の前記胴支持部、前記腰支持部及び前記足支持部の前記上面は、前記足支持部から前記胴支持部に向けて上方に傾斜して直線状に延び、前記頭支持部の前記上面は、前記胴支持部の上端から水平に直線状に延びていることを特徴とする。
更に、本発明の請求項４に記載のマットレスでは、前記マットレス本体の前記胴支持部の上端の厚さ（Ｔ１）は、１２〜２５ｃｍ（１２ｃｍ≦Ｔ１≦２５ｃｍ）であり、前記足支持部の下端の厚さ（Ｔ２）は、３〜１５ｃｍ（３ｃｍ≦Ｔ２≦１５ｃｍ）であることを特徴とする。
【発明の効果】
【００１１】
本発明の請求項１に記載のマットレスによれば、マットレス本体は柔軟性及び高反発性を有する材料から形成されているので、就寝者がこのマットレス本体に寝た状態においては、マットレス本体が弾性変形して就寝者を包み込むように支持し、これによって、就寝者を安定した楽な姿勢に保つことができる。また、マットレス本体の少なくとも胴支持部、腰支持部及び足支持部の上面は、足支持部から胴支持部に向けて上方に傾斜して直線状に延び、それらの前記上面の基準水平面に対する傾斜角度（α）が２〜７度（２度≦α≦７度）であるので、就寝者を水平状態に保つように支持することができ、これによって、就寝者の身体（即ち、その骨格）が略直線状に伸びた状態となり、その結果、身体を楽な姿勢でもって支持することが可能となる。
【００１２】
また、本発明の請求項２に記載のマットレスによれば、マットレス本体の硬さは、２５％圧縮するのに必要な力で表すと４０〜８０Ｎであるので、適度の硬さを有して身体を包み込むように安定して支持することができる。
【００１３】
また、本発明の請求項３に記載のマットレスによれば、マットレス本体の胴支持部、腰支持部及び足支持部の上面は、足支持部から胴支持部に向けて上方に傾斜して直線状に延び、その頭支持部の上面は、胴支持部の上端から水平に直線状に延びているので、マットレス本体に就寝者が寝た状態においては、マットレス本体が弾性変形して就寝者の身体全体を包み込むように保持するとともに、就寝者の足部から頭部までを略直線状に伸びた状態に保持することができ、その結果、身体全体を楽な姿勢に保つことができる。
【００１４】
更に、本発明の請求項４に記載のマットレスによれば、マットレス本体の胴支持部の上端の厚さ（Ｔ１）が１２〜２５ｃｍであり、また足支持部の下端の厚さ（Ｔ２）が３〜１５ｃｍであるので、マットレス本体の厚さを適度にして就寝者の身体を非常に楽な姿勢で包み込むように支持することができる。
【図面の簡単な説明】
【００１５】
【図１】本発明に従うマットレスの一実施形態を示す斜視図。
【図２】図１のマットレスを示す側面図。
【図３】図１のマットレスに就寝者が仰向けに寝た状態を説明するための説明図。
【図４】従来のマットレスに就寝者が仰向けに寝た状態を説明するための説明図。
【発明を実施するための形態】
【００１６】
以下、図１〜図３を参照して、本発明に従うマットレスの一実施形態について説明する。図示のマットレス２は、外形が略矩形状のマットレス本体４を備え、このマットレス本体４は、床面、畳面などの表面５（図３参照）に敷いて使用される。尚、図示の例では、マットレス本体４をそのままの状態で使用しているが、布製などのカバー部材（図示せず）で覆った状態で使用するようにしてもよい。
【００１７】
マットレス本体４の長手方向の長さ（Ｌ）（図２及び図３において左右方向の大きさ）は、例えば、１４５〜２４５ｃｍ程度であり、例えば大人用の通常サイズでは１７０〜２１０ｃｍ程度である。また、その幅（Ｗ）（図２及び図３において紙面に垂直な方向の大きさ）は、例えば８０〜１４０ｃｍ程度であり、例えば、大人用の通常サイズでは、９０〜１２０ｃｍ程度である。このようなサイズのマットレス２では、大人が楽に就寝することができる。
【００１８】
このマットレス本体４は、柔軟性及び高反発性を有する材料から形成され、その柔軟性により弾性変形して就寝者Ｐの身体１０４を包み込むように支持することができ、またその高反発性により身体１０４を安定して支持することができる。マットレス本体４は適度の硬さを有し、その硬さが４０〜８０Ｎであるのが好ましく、４５〜７５Ｎであるのが更に好ましい。ここでの硬さは、２５％圧縮するのに必要な力で表している。その硬さが柔らかすぎると、就寝状態において身体が沈み込むようになって安定して支持することができず、また硬すぎると、身体を包み込むように支持することができない。また、この高反発性とは、元の所定の状態に戻るようになる特性をいう。
【００１９】
このマットレス本体４の上面６は、下端側（就寝者Ｐの足部１１２が位置する一端側）から上端側（その頭部１２２が位置する他端側）に向けて上方に直線状に傾斜して延びている。このマットレス本体４は、身体１０４の頭部１２２を支持する頭部支持部１６、胴部１０６を支持する胴支持部１０、腰部１０９を支持する腰支持部１２及び足部１１２を支持する足支持部１４を有しており、胴支持部１０、腰支持部１２及び足支持部１４の上面６が、足支持部１４の下端部から胴支持部１０の上端部にわたって上方に直線状に傾斜して延びているのが好ましい。これらの上面６の基準水平面８（水平に延びる平面）に対する傾斜角度（α）（図２参照）は、２〜７度（２度≦α≦７度）であるのが好ましく、３〜５度（３度≦α≦５度）であるのがより好ましい。このような傾斜角度範囲にすることによって、後述するように、就寝者Ｐの身体１０４が直線状に延びた状態で包み込むように支持することができ、この傾斜角度範囲より大きくなると身体１０４の胴部１０６が幾分上方に起きた状態となり、またこの角度範囲より小さくなるとこの胴部１０６が幾分下方に沈んだ状態となり、起きたときに疲れが残り易くなる。
【００２０】
この実施形態では、マットレス本体４の胴支持部１０、腰支持部１２及び足支持部１４の上面６が、足支持部１４から胴支持部１２に向けて上方に直線状に傾斜し、その頭支持部１６の上面６が、胴支持部１０の上端から水平に直線状に延びており、このように構成することによって、後に説明するように、仰向けに寝た状態において身体１０４（具体的には、その骨格）の足部１１２から頭部１２２までを略直線状に伸びた状態に保持することができ、その結果、身体全体を楽な姿勢に保つことができる。
【００２１】
このマットレス本体４は、樹脂材料による成形により好都合に形成することができ、この樹脂材料としては、例えばエーテル系のウレタンを用いることができ、このような樹脂材料を用いて成形することにより、柔軟性及び高反発性のものを得ることができる。
【００２２】
この実施形態では、マットレス本体４の胴支持部１０の上端部の厚さ（Ｔ１）（換言すると、頭支持部１６の厚さ）は、１２〜２５ｃｍ（１２ｃｍ≦Ｔ１≦２５ｃｍ）であるのが好ましく、１４〜２２ｃｍ（１４ｃｍ≦Ｔ１≦２２ｃｍ）であるのがより好ましい。また、マットレス本体４の足支持部１４の下端部の厚さ（Ｔ２）は、３〜１５ｃｍ（３ｃｍ≦Ｔ２≦１５ｃｍ）であるのが好ましく、４〜１０ｃｍ（４ｃｍ≦Ｔ２≦１０ｃｍ）であるのがより好ましい。このように構成することにより、マットレス本体４としての適度な厚さにして就寝者Ｐの身体を非常に楽な姿勢で包み込むように支持することができる。
【００２３】
また、このマットレス本体４においては、その頭支持部１６の長手方向の長さ（Ｌ１）（換言すると、上面６における水平部分の長さ）は、２５〜４５ｃｍ（２５ｃｍ≦Ｌ１≦４５ｃｍ）であるのが好ましく、２５〜３５ｃｍ（２５ｃｍ≦Ｌ１≦３５ｃｍ）であるのがより好ましい。またその胴支持部１０から足支持部１４までの長手方向の長さ（Ｌ２）（換言すると、上面６における傾斜部分の長さ）は、１２０〜２００ｃｍ（１２０ｃｍ≦Ｌ２≦２００ｃｍ）であるのが好ましく、１４０〜１８０ｃｍ（１４０ｃｍ≦Ｌ２≦１８０ｃｍ）であるのがより好ましい。
【００２４】
このマットレス２の上面６に就寝者Ｐが仰向けに寝ると、この就寝者Ｐの体重により、マットレス本体４は、図３に示すように弾性変形してその身体１０４を支持する。即ち、身体１０４の頭部１２２は頭支持部１６により支持され、その胴部１０６は胴支持部１０により支持され、その腰部１０９は腰支持部１２により支持され、その足部１１２は足支持部１４により支持される。この支持状態においては、身体１０４の後側（背中１８側）に突出している背中１０８、腰部１０９の臀部１１０、足部１１２のふくらはぎ１１４及び頭部１２２の後頭部１２８がマットレス本体４の上面６に強く作用し、マットレス本体４のこれらに対応する部分が大きく弾性変形し、就寝者Ｐの身体１０４が図３にハッチングで示すように沈み、マットレス本体４に包み込まれるように支持される。
【００２５】
このように包み込まれた状態においては、マットレス本体４の上面６は、その柔軟性及び高反発性により、身体１０４の後側の形状（即ち、この上面６に接触する形状）に沿うように弾性変形してその背面側全体を支持し、これによって、就寝者Ｐの体重は、身体１０４の背面側全体を介してマットレス本体４に伝えられる。また、この包み込まれた状態では、図３に示すように、身体１０４の胴部１０６（その背中１０８）を支持する胴支持部１０における胴支持域２２の底部２４（背中１０８を支持する底部）と、腰部１０９を支持する腰支持部１２における腰支持域２６の底部２８（臀部１１０を支持する底部）と、足部１１２を支持する足支持部１４における足支持域３０の底部３２（ふくらはぎ１１４を支持する底部）とは、床、畳などの水平な表面５を基準にして上下方向に実質上同一レベルとなって身体１０４を水平状態に指示する身体支持底面３４を規定する。また、頭部１２２は、頭支持部１６における頭支持域３６により支持される。
【００２６】
このように支持した状態では、図３に太い実線３６で示すように、就寝者Ｐの身体１０４（即ち、その骨格）は直線状に延び、またその状態は、マットレス本体４の上面６の傾斜にほほ沿って延びる姿勢となり、その結果、マットレス本体４に寝た状態においては、身体１０４の体重はマットレス本体４との接触面を介してマットレス本体４にほぼ均一に伝えられ、これにより、身体１０４の骨格に作用する荷重がほぼ均一となり、疲れが残りにくい楽な姿勢で睡眠を取ることがきるようになる。また、この就寝状態においては、身体１０４に作用する荷重がほぼ均一になるととともに無理のない楽な姿勢になるために、寝返りも楽に行うことができ、このことによっても楽な睡眠を取ることができる。
【００２７】
以上、本発明に従うマットレスの一実施形態について説明したが、本発明はかかる実施形態に限定されるものではなく、本発明の範囲を逸脱することなく種々の変更乃至修正が可能である。
【符号の説明】
【００２８】
２  マットレス
４  マットレス本体
１０  胴支持部
１２  腰支持部
１４  足支持部
１６  頭支持部
２２，１１６  胴支持域
２６，１１８  腰支持域
３０，１２０  足支持域
３６，１２４  頭支持域
３４  身体支持底面
Ｐ  就寝者
【図１】
2020171751.tif 000003
【図２】
2020171751.tif 000004
【図３】
2020171751.tif 000005
【図４】
2020171751.tif 000006